(57)【要約】【課題】水素分離型水素製造システムにおいて炭化水素系燃料由来の二酸化炭素を効率的に回収する。【解決手段】炭化水素系燃料の水蒸気改質による水素分離型水蒸気改質器と炭化水素系燃料の水蒸気改質用加熱源である燃焼器と炭化水素系燃料の改質用水蒸気発生用ボイラを有する水素分離型水素製造システムであって、水素分離型水蒸気改質器からのオフガスを冷却した後、オフガスから水を分離する水分離器と、水を分離したオフガスの流れ方向でみて、水分吸着塔、二酸化炭素分離膜による二酸化炭素富化装置、圧縮機、冷却熱交換器及び気液分離槽を含む二酸化炭素回収装置を備えてなり、二酸化炭素富化装置において、水分吸着塔を経たガス中の二酸化炭素濃度を９０％以上に高めた後、順次、圧縮機、冷却熱交換器及び気液分離槽に導入して液化炭酸を回収するようにしてなる水素分離型水素製造システム。また、二酸化炭素富化装置に代えてメタン分離装置を使用する。【選択図】図１
2010254544.tif 000002
【特許請求の範囲】
【請求項１】
炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、二酸化炭素分離膜による二酸化炭素濃度富化装置、圧縮機、冷却熱交換器及び気液分離槽を含む二酸化炭素回収装置を備えてなり、
（ｃ）前記二酸化炭素濃度富化装置において、水分吸着塔を経たガス中の二酸化炭素濃度を９０％以上に高めた後、順次、圧縮機、冷却熱交換器及び気液分離槽に導入して液化炭酸を回収するようにしてなる
ことを特徴とする水素分離型水素製造システム。
【請求項２】
炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、二酸化炭素分離膜による二酸化炭素濃度富化装置、圧縮機、冷却熱交換器及び気液分離槽を含む二酸化炭素回収装置を備えてなり、
（ｃ）前記二酸化炭素濃度富化装置において、水分吸着塔を経たガス中の二酸化炭素濃度を９０％以上に高めた後、順次、圧縮機、冷却熱交換器及び気液分離槽に導入して液化炭酸を回収し、且つ、
（ｄ）前記二酸化炭素濃度富化装置からのオフガスと前記気液分離槽からの二酸化炭素分離済みオフガスを水素分離型改質器の燃焼器の燃料として再利用するようにしてなる
ことを特徴とする水素分離型水素製造システム。
【請求項３】
炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、メタン分離装置、圧縮機、冷却熱交換器及び気液分離槽を含む二酸化炭素回収装置を備えてなり、
（ｃ）前記メタン分離装置において、水分吸着塔を経たオフガス中のメタンを分離し、二酸化炭素濃度を高めた後、順次、圧縮機、冷却熱交換器及び気液分離槽に導入して液化炭酸を回収するようにしてなる
ことを特徴とする水素分離型水素製造システム。
【請求項４】
炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、メタン分離装置、圧縮機、冷却熱交換器及び気液分離槽を含む二酸化炭素回収装置を備えてなり、
（ｃ）前記メタン分離装置において、水分吸着塔を経たオフガス中のメタンを分離し、二酸化炭素濃度を高めた後、順次、圧縮機、冷却熱交換器及び気液分離槽に導入して液化炭酸を回収し、且つ、
（ｄ）前記メタン分離装置からのオフガス（メタンリッチガス）と前記気液分離槽からの二酸化炭素分離済みオフガスを水素分離型改質器の燃焼器の燃料として再利用するようにしてなる
ことを特徴とする水素分離型水素製造システム。
【請求項５】
請求項１〜４のいずれか１項に記載の水素分離型水素製造システムが、オンサイト方式の水素ステーションで設置する水素分離型改質システムであることを特徴とする水素分離型水素製造システム。
【請求項６】
請求項１〜５のいずれか１項に記載の水素分離型水素製造システムにおいて、前記水分離器により分離したドレイン水を前記水素分離型水蒸気改質器での炭化水素系燃料の改質用水として再利用するようにしてなることを特徴とする水素分離型水素製造システム。
【請求項７】
請求項１〜６のいずれか１項に記載の水素分離型水素製造システムにおいて、前記炭化水素系燃料が天然ガスまたは都市ガスであることを特徴とする水素分離型水素製造システム。
【請求項８】
請求項１〜７のいずれか１項に記載の水素分離型水素製造システムにおいて、前記燃焼器での燃焼排ガスの熱を前記炭化水素系燃料の加熱に利用することを特徴とする水素分離型水素製造システム。
【請求項９】
請求項１〜８のいずれか１項に記載の水素分離型水素製造システムにおいて、前記燃焼器での燃焼排ガスの熱をボイラ用燃料ガスの加熱に利用することを特徴とする水素分離型水素製造システム。
【請求項１０】
請求項１〜８のいずれか１項に記載の水素分離型水素製造システムにおいて、前記燃焼器での燃焼排ガスの熱をボイラに投入する水の加熱に利用することを特徴とする水素分離型水素製造システム。
【請求項１１】
請求項１〜１０のいずれか１項の水素分離型水素製造システムにおいて、前記ボイラからの燃焼排ガスの熱をボイラに投入する水の加熱に利用することを特徴とする水素分離型水素製造システム。
【請求項１２】
請求項１〜１１のいずれか１項に記載の水素分離型水素製造システムにおいて、前記気液分離槽からのオフガスを水素分離型改質器の燃焼器の燃料として再利用するようにしてなることを特徴とする水素分離型水素製造システム。
【発明の詳細な説明】
【技術分野】
【０００１】
本発明は、二酸化炭素分離回収装置を伴う水素分離型水素製造システム、すなわち二酸化炭素分離回収装置を備える水素分離型水素製造システムに関する。
【背景技術】
【０００２】
特許文献１には、原料ガスを水蒸気改質して水素を製造するメンブレンリアクタと、当該メンブレンリアクタから排出されるオフガス中の二酸化炭素を除去するための二酸化炭素分離装置と、二酸化炭素を分離した後のオフガスを原料ガスに混合してメンブレンリアクタに循環する循環手段とを含む水素製造装置が開示されている。特許文献２には、燃焼器を備える、メンブレンリアクタなどの水素分離型水素製造装置において、水素が分離されたオフガスを燃焼器へ戻すオフガス流路と、当該オフガス流路にオフガスが保有するエネルギーを回収する回収手段、例えば発電機を設けた水素製造装置が開示されている。
【０００３】
また、特許文献３においては、炭化水素系燃料を酸素及び水蒸気により改質したガスから水素を分離し、且つ、水素分離済みのオフガスから二酸化炭素を分離する機構を有する水素製造システムが開示されている。しかし、この技術でのオフガスからの二酸化炭素の分離は、二酸化炭素分離済みガスを水素製造用に再利用するためのものであり、分離した二酸化炭素を回収するためのものではない。
【先行技術文献】
【特許文献】
【０００４】
【特許文献１】特開２００３−１４６６１０号公報
【特許文献２】特開２００３−１８３００６号公報
【特許文献３】特開２００５−１４５７６０号公報
【発明の開示】
【発明が解決しようとする課題】
【０００５】
従来の水素分離型水素製造システムにおける、水素分離型水蒸気改質器からのオフガスについては、特許文献１のようにそのオフガスを原料ガスに混合することで可燃ガス分を再利用するか、特許文献２のようにそのオフガスを全て燃焼炉に送ることで可燃ガス分を再利用することにより、水素製造効率を高めているが、燃焼排ガスはそのまま外気に放出しているのが現状である。
【０００６】
しかし、水素製造装置のオフガスや燃焼排ガスの主成分は、地球温暖化ガスである二酸化炭素であることから、外気への放出を回避する必要がある。そのような観点から、例えば、特許文献４では、天然ガスを水蒸気改質器に供給して水素を製造し、水蒸気改質器での水蒸気改質用加熱源であるバーナまたは燃焼触媒による燃焼ガスを液化天然ガスと熱交換し、液化天然ガスの冷熱により燃焼ガス中の炭酸ガスを固体炭酸として回収するようにした水素製造装置及び水素製造方法が提案されている。
【０００７】
また、メンブレンリアクタなどの水素分離型水素製造装置は、従来型の水蒸気改質装置と比較して高効率で、シンプル且つコンパクトであることが知られており、当該水素分離型水素製造装置は、水素自動車用等の水素ステーションの所在地で天然ガスや都市ガスなどの改質による水素製造から貯蔵、供給まで行う、いわゆる炭化水素系燃料改質オンサイト方式の水素ステーションでの実用化を目指して開発が進められている。
【０００８】
そのような、オンサイト方式の水素ステーションにおいても、水素分離型水素製造装置で生成した改質ガスから水素回収後のオフガス中の二酸化炭素については、地球温暖化ガスであることから、外気への放出を回避する必要がある。
【０００９】
二酸化炭素を回収する技術として、アミン類を使用する方法（特許文献５、特許文献６、等）や、炭酸カリウム及び／又は炭酸ナトリウムを使用する方法（特許文献７）などが実証段階の技術として知られている。しかし、これらの方法は、大型のプラントや発電所などの大規模施設での使用を想定しており、コストやエネルギーロスの観点から考えて、小規模での二酸化炭素回収に用いるのは非現実的である。このことから、例えばオンサイト方式の水素ステーションのような小規模の施設では二酸化炭素の回収は困難と考えられていた。
【００１０】
【特許文献４】特開２０００−２４７６０４号公報
【特許文献５】特開２００８−３０７５１９号公報
【特許文献６】特開２００８−１６８２２７号公報
【特許文献７】特開２００２−３２１９０４号公報
【００１１】
本発明は、そのような従来の認識とは逆に、オンサイト方式の水素ステーションのような小規模の施設にも適用できる、炭化水素系燃料を原料とする水素分離型水素製造装置において、炭化水素系燃料から高効率に水素製造を行うとともに、効率的な二酸化炭素回収によって炭化水素系燃料由来の二酸化炭素を回収するようにしてなる水素分離型水素製造システムを提供することを目的とするものである。
【発明の概要】
【課題を解決するための手段】
【００１２】
本発明（１）は、炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、二酸化炭素分離膜による二酸化炭素濃度富化装置、圧縮機、冷却熱交換器及び気液分離槽を含む二酸化炭素回収装置を備えてなり、
（ｃ）前記二酸化炭素濃度富化装置において、水分吸着塔を経たガス中の二酸化炭素濃度を９０％以上に高めた後、順次、圧縮機、冷却熱交換器及び気液分離槽に導入して液化炭酸を回収するようにしてなる
ことを特徴とする水素分離型水素製造システムである。
【００１３】
本発明（２）は、炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、二酸化炭素分離膜による二酸化炭素濃度富化装置、圧縮機、冷却熱交換器及び気液分離槽を含む二酸化炭素回収装置を備えてなり、
（ｃ）前記二酸化炭素濃度富化装置において、水分吸着塔を経たガス中の二酸化炭素濃度を９０％以上に高めた後、順次、圧縮機、冷却熱交換器及び気液分離槽に導入して液化炭酸を回収し、且つ、
（ｄ）前記二酸化炭素濃度富化装置からのオフガスと前記気液分離槽からの二酸化炭素分離済みオフガスを水素分離型改質器の燃焼器の燃料として再利用するようにしてなる
ことを特徴とする水素分離型水素製造システムである。
【００１４】
本発明（２）は、本発明（１）の構成に加えて、上記構成（ｄ）すなわち二酸化炭素濃度富化装置からのオフガス、前記気液分離槽からの二酸化炭素分離済みオフガスを前記燃焼器での燃料として利用するようにしてなるものに相当している。
【００１５】
本発明（３）は、炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、メタン分離装置、圧縮機、冷却熱交換器及び気液分離槽を含む二酸化炭素回収装置を備えてなり、
（ｃ）前記メタン分離装置において、水分吸着塔を経たオフガス中のメタンを分離し、二酸化炭素濃度を高めた後、順次、圧縮機、冷却熱交換器及び気液分離槽に導入して液化炭酸を回収するようにしてなる
ことを特徴とする水素分離型水素製造システムである。
【００１６】
本発明（４）は、炭化水素系燃料の水蒸気改質による水素分離型水蒸気改質器と前記炭化水素系燃料の水蒸気改質用加熱源である燃焼器と前記炭化水素系燃料の改質用水蒸気発生用ボイラを有する水素分離型水素製造システムであって、
（ａ）前記水素分離型水蒸気改質器からのオフガスを冷却した後、オフガスから水を分離する水分離器と、
（ｂ）前記水分離器で分離したオフガスの流れ方向でみて、順次、水分吸着塔、メタン分離装置、圧縮機、冷却熱交換器及び気液分離槽を含む二酸化炭素回収装置を備えてなり、
（ｃ）前記メタン分離装置において、水分吸着塔を経たオフガス中のメタンを分離し、二酸化炭素濃度を高めた後、順次、圧縮機、冷却熱交換器及び気液分離槽に導入して液化炭酸を回収し、且つ、
（ｄ）前記メタン分離装置からのオフガス（メタンリッチガス）と前記気液分離槽からの二酸化炭素分離済みオフガスを水素分離型改質器の燃焼器の燃料として再利用するようにしてなる
ことを特徴とする水素分離型水素製造システムである。
【００１７】
本発明（４）は、本発明（３）の構成に加えて、上記構成（ｄ）すなわちメタン分離装置からのオフガス、前記気液分離槽からの二酸化炭素分離済みオフガスを前記燃焼器での燃料として利用するようにしたものに相当している。
【００１８】
本発明の水素分離型水素製造システムは、例えばオンサイト方式の水素ステーションでの水素分離型水素製造システムとして利用することができる。また、本発明において、炭化水素系燃料としては好ましくは天然ガスまたは都市ガスを使用するが、これらに限定されず、灯油、ガソリン、ＬＰＧ（液化石油ガス）なども使用できる。
【発明の効果】
【００１９】
本発明（１）〜（２）の水素分離型水素製造システムによれば、天然ガス等の炭化水素系燃料から水素製造を行うとともに、二酸化炭素濃度富化装置、圧縮機、冷熱熱交換器を含む二酸化炭素液化回収装置を配置することにより、効率的な二酸化炭素回収によって水素製造時に発生する総二酸化炭素排出量の約半分の二酸化炭素を低エネルギーで効率的に回収することができる。これにより、環境負荷を著しく低減することができる。
【００２０】
本発明（３）〜（４）の水素分離型水素製造システムによれば、天然ガス等の炭化水素系燃料から水素製造を行うとともに、メタン分離装置、圧縮機、冷熱熱交換器を含む二酸化炭素液化回収装置を配置することにより、効率的な二酸化炭素回収によって水素製造時に発生する総二酸化炭素排出量の約半分の二酸化炭素を低エネルギーで効率的に回収することができる。これにより、環境負荷を著しく低減することができる。
【図面の簡単な説明】
【００２１】
【図１】図１は本発明（１）〜（２）を説明する図である。
【図２】図２は本発明（３）〜（４）を説明する図である。
【発明を実施するための形態】
【００２２】
前述のとおり、二酸化炭素を回収する方法としてアミン、炭酸カリ水溶液などを使用する化学吸収法が実証段階の技術として知られているが、これらは、大型のプラントや発電所などの大規模施設での使用を想定しており、コストやエネルギーロスの観点から考えて、小規模での二酸化炭素回収に用いるのは非現実的である。このことから、例えばオンサイト方式の水素ステーションのような小規模の施設では二酸化炭素回収は困難と考えられていた。
【００２３】
本発明においては、その前提として、二酸化炭素を含むガス中の二酸化炭素濃度が高ければ、圧縮液化のみによって二酸化炭素を容易に分離できることを確認し、この事実すなわちガス中の二酸化炭素濃度が高ければ、圧縮液化のみによって容易に二酸化炭素を分離できるとの事実を利用するものである。
【００２４】
以下、まず本発明（１）〜（２）の態様を説明し、次いで本発明（３）〜（４）の態様を説明する。本発明（１）〜（４）の各発明において特徴とする構成の前提となる共通する態様については主として本発明（１）〜（２）の態様の箇所で説明している。
【００２５】
〈本発明（１）〜（２）の態様〉
図１は本発明（１）〜（２）を説明する図である。図１のとおり、本発明の水素分離型水素製造システムにおいては、炭化水素系燃料の水蒸気改質による水素分離型水蒸気改質器Ａと、炭化水素系燃料の水蒸気改質用加熱源である燃焼器Ｂと、炭化水素系燃料の改質用水蒸気発生用ボイラＣと、水分離器Ｄと、二酸化炭素濃度富化装置Ｆを含む二酸化炭素液化回収装置：Ｚを備えることを前提、必須とするものである。
【００２６】
水素分離型水蒸気改質器Ａは、例えばメンブレンリアクタのように原料ガスである炭化水素系燃料を水蒸気改質し、且つ、生成改質ガスから水素を選択的に分離する水蒸気改質器である。すなわち、水素分離型水蒸気改質器Ａは、水蒸気改質により改質ガスを生成し且つ改質ガスから水素を分離する構造をもつ水素分離型水蒸気改質器であればよく、例えばメンブレンリアクタなどが使用できる。水蒸気改質器Ａには燃焼器Ｂが付設されている。燃焼器Ｂは、燃料を空気で燃焼するバーナからなり、その燃焼により発生した熱が水蒸気改質器Ａでの炭化水素系燃料の水蒸気改質に必要な加熱源として利用される。
【００２７】
図１中、符号１は改質用の原料ガスである炭化水素系燃料供給管、符号４はボイラＣへの水供給管、符号５は空気供給管である。空気供給管５から供給される空気は、ボイラＣでの燃料燃焼用、燃焼器Ｂのバーナ用燃料の燃焼用として使用される。符号６は空気供給管５からボイラＣへの空気供給用分岐管である。
【００２８】
原料ガスである炭化水素系燃料は、供給管１、圧縮機Ｐ１を経て水素分離型水蒸気改質器Ａの水蒸気改質器に供給する。炭化水素系燃料が例えば都市ガスのように硫黄化合物を含む燃料の場合には、硫黄化合物による改質触媒の被毒劣化を防止する必要があるので、脱硫器等による脱硫後に水蒸気改質器に供給される。
【００２９】
圧縮機Ｐ１を経た高圧（例えば、約１０ｋｇ/ｃｍ2Ｇ）の炭化水素系燃料ガスの一部を分岐して燃焼器Ｂの燃料として使用する。符号３はその分岐管である。燃焼器Ｂでは分岐管３を介して供給される燃料を空気供給管５からの空気により燃焼し、その燃焼熱により水蒸気改質器での炭化水素系燃料の改質反応が行われる。なお、空気に代えて、酸素や酸素リッチガスを使用してもよい。
【００３０】
炭化水素系燃料供給管１から供給される原料ガスである炭化水素系燃料は、その一部がボイラＣでの水蒸気（＝スチーム）発生用の燃料として使用される。符号２はその分岐管であり、炭化水素系燃料、すなわち原料ガスの流れ方向でみて圧縮機Ｐ１の配置箇所より上流側で分岐する。炭化水素系燃料は分岐管２によりボイラＣに供給され、空気供給管５の分岐管６からの空気により当該ボイラＣで燃焼し、水供給管４から供給される水を加熱してスチームを発生する。
【００３１】
本発明においては、後述のとおり、水分離器Ｄで分離したドレイン水も、中和器Ｉ、ドレイン導管１４を経て水供給管４により供給されるボイラＣへの供給水に合流させ、ボイラＣでの水蒸気発生用の水として利用する。
【００３２】
ボイラＣで発生したスチームは、水蒸気改質器へのスチーム供給管７を介して水蒸気改質器に供給され、原料ガスである炭化水素系燃料の改質用に使用される。水蒸気改質器で生成した改質ガスは、水素分離型水蒸気改質器Ａ内に配置されたＰｄ合金膜等の水素分離膜により水素を選択的に透過分離し、精製水素は熱交換器Ｋ１で冷却され、導出管８を介して取り出される。
【００３３】
熱交換器Ｋ１において回収した精製水素の熱は空気、酸素もしくは酸素リッチガスの加熱などに使用される。熱交換器Ｋ１では水等の冷媒との熱交換により精製水素の熱を回収し、空気、酸素もしくは酸素リッチガスなどと熱交換して加熱する。なお、図１中そのための熱交換器、配管の記載は省略している。
【００３４】
一方、改質ガスから水素を分離した残りの改質ガス、すなわちオフガスには水蒸気改質器での改質反応おいて、未反応の炭化水素（メタンなど）、未利用の水蒸気、副生一酸化炭素（ＣＯ）、二酸化炭素等が含まれており、そのうち二酸化炭素濃度はそのオフガス中７０〜９０％（容量％，本明細書中ガスについての「％」について同じ）と高い。
【００３５】
本発明（１）〜（２）においては、その二酸化炭素を二酸化炭素液化回収装置：Ｚにおける二酸化炭素濃度富化装置Ｆにおいて高濃度化し、二酸化炭素濃度富化装置Ｆに続く圧縮機Ｐ２、冷却熱交換器Ｋ５による圧縮液化のみを経て、気液分離槽Ｇで容易且つ効率的に回収するものである。このように、二酸化炭素濃度富化装置Ｆ、これに続く圧縮機Ｐ２、冷却熱交換器Ｋ５は、本発明（１）〜（２）において重要な役割を果たすものである。
【００３６】
ここで、特許文献８〜１０には、水素分離型改質器を用いて二酸化炭素を分離回収することが記載されている。しかしそれらは、膜分離改質器つまり水素分離型改質器に加えて、もう一つの水素分離膜を使用し且つ二酸化炭素分離膜を用いて二酸化炭素を分離回収するものであり、もう一つの水素分離膜と二酸化炭素分離膜を水素分離型改質器に組み合わせている。これに対して、本発明の水素分離型改質器は一段で十分であり、そのようなもう一つの水素分離膜は不要である。
【００３７】
【特許文献８】特開２００９−０２９６７４号公報
【特許文献９】特開２００９−０２９６７５号公報
【特許文献１０】特開２００９−０２９６７６号公報
【００３８】
〈水素分離型水蒸気改質器からのオフガスについて〉
水素分離型水蒸気改質器Ａにおける改質ガスから水素を分離した後のオフガスは、導出管９により導出し、熱交換器Ｋ２、減圧弁Ｖ１を経て、水分離器Ｄへ導入される。熱交換器Ｋ２において回収したオフガスの熱は空気、酸素もしくは酸素リッチガスの加熱などに使用される。熱交換器Ｋ２では水等の冷媒との熱交換によりオフガスの熱を回収し、空気、酸素もしくは酸素リッチガスなどと熱交換して加熱する。なお、図１中そのための熱交換器、配管の記載は省略している。
【００３９】
〈水分離器Ｄについて〉
本発明においては、水素分離型水蒸気改質器Ａからのオフガス中の水分の分離に水分離器Ｄ（例えばスチームトラップ等）を用いる。すなわち、そのように冷却した水素分離型水蒸気改質器Ａからのオフガスを導出管９を介して水分離器Ｄに供給する。
【００４０】
熱交換器Ｋ２により冷却されたオフガスは水分離器Ｄに送られる。オフガス中の水分は水分離器Ｄにおいて分離され、１０℃〜４０℃程度の水蒸気分圧（水蒸気＝１．２〜７．２％）になる。分離した水つまりドレイン（drain）は酸性であるので、そのドレインを再利用するために中和器Ｉへ供給する。中和器Ｉには炭酸カリウム系天然石などの中和剤を充填する。ドレインは、水分離器Ｄから、中和器Ｉ、ドレイン導管１４を経て水供給管４により供給されるボイラＣへの供給水に合流させ、ボイラＣでの水蒸気発生用の水として利用する。
【００４１】
一方、水分離器Ｄにおいて、水分を分離した後のガスは、二酸化炭素液化回収装置：Ｚに供給され、当該ガス中の二酸化炭素を液化炭酸として回収する。二酸化炭素液化回収装置：Ｚは、水分離器Ｄで水分を分離した後のガスの流れ方向でみて順次、水分吸着塔Ｅ、二酸化炭素濃度富化装置Ｆ、圧縮機Ｐ２、冷却熱交換器Ｋ５、気液分離槽Ｇ、タンクＨを配置することにより構成される。
【００４２】
水分離器Ｄを経たオフガスは、導管１５を介して水分吸着塔Ｅに導入される。水分吸着塔Ｅには水分離器Ｄを経たガス中の水分を選択的に吸着する活性炭等の吸着剤を充填する。ガス中の水分の大部分は水分離器Ｄで分離されているが、水分吸着塔Ｅでは、水分離器Ｄで分離し得なかった１．２〜７．２％水蒸気に相当する水分をさらに吸着除去し、−２０℃（０．１％水蒸気）以下まで水蒸気分圧を低下させる。水分吸着塔Ｅを経たガスは二酸化炭素濃度富化装置Ｆへ導入する。
【００４３】
二酸化炭素濃度富化装置Ｆは、二酸化炭素を選択的に透過する二酸化炭素分離膜を備え、水分吸着塔Ｅでの水分離後のオフガス中の二酸化炭素を選択的に透過し、７０〜９０％であった二酸化炭素の濃度を９０％以上に高める。二酸化炭素分離膜としては、二酸化炭素をそのように高濃度化できる二酸化炭素分離膜であればいずれも使用できるが、その例としてはゼオライト系二酸化炭素分離膜、もしくは高分子膜などを用いることができる。二酸化炭素濃度富化装置Ｆを透過しないガスは、導管１６を介して気液分離槽Ｇからの分離済みオフガスに合流させる。
【００４４】
なお、上記二酸化炭素濃度富化装置Ｆの二酸化炭素分離膜を透過しないガスを、本明細書中「二酸化炭素濃度富化装置からのオフガス」とも称している。
【００４５】
そのように、水分離器Ｄに続き、水分吸着塔Ｅ、二酸化炭素濃度富化装置Ｆ、圧縮機Ｐ２、冷却熱交換器Ｋ５、気液分離槽Ｇからなる二酸化炭素液化回収装置を接続することにより、効率的な二酸化炭素回収が可能になり、前記のように圧縮液化するガスの二酸化炭素濃度を９０％以上に高めることにより、回収効率を著しく向上させることができる。
【００４６】
二酸化炭素濃度富化装置Ｆの二酸化炭素分離膜を透過し、二酸化炭素を高濃度化したオフガスは、圧縮機Ｐ２を経て、冷却熱交換器Ｋ５に導入する。これにより、オフガス中の二酸化炭素を圧縮液化し、気液混合流として気液分離槽Ｇへ導入する。気液分離槽Ｇにおいて、液相である液化炭酸と二酸化炭素分離済みオフガスとに分離する。こうして、二酸化炭素を高濃度化したオフガスから圧縮液化により、二酸化炭素を液化炭酸として分離する。
【００４７】
オフガス圧力は０．８ＭＰａＧと高く、液化に必要な５〜１５ＭＰａＧ、好ましくは７〜１０ＭＰａＧの圧力に上げるための圧縮機Ｐ２に必要な電力も常圧から上げる場合と比較して約半分になる。
【００４８】
水素分離型改質器Ａの出力が低い時、すなわち低〜中出力で運転する場合は、オフガス中の二酸化炭素濃度が９０％程度である。
【００４９】
一方、水素分離型改質器Ａの出力が高い時、例えば出力１００％もしくはその付近で運転する場合、オフガス中の二酸化炭素濃度は７０〜９０％となる。本発明においては、その前提として、その濃度範囲でも、圧縮液化によって二酸化炭素の分離回収はできるが、回収のための消費エネルギーが高くなり回収効率が低下するとともに、気液分離槽においてスリップガスとして回収できない二酸化炭素の割合が高くなることを予備試験によって確認した。
【００５０】
例えば、二酸化炭素に２０％程度の不純物ガスが含まれている場合（二酸化炭素濃度８０％）、単位二酸化炭素量を圧縮するために必要なエネルギー（電力）は２０％程度、もしくはそれ以上増加するため、エネルギーロスが非常に大きくなる。そこで本発明においては、水素分離型改質器Ａが高出力運転をする場合においても効率的に高濃度の二酸化炭素が回収できるように、水分吸着塔Ｅに続き、二酸化炭素を高濃度化する二酸化炭素濃度富化装置Ｆを配置する。これにより、二酸化炭素の濃度を９０％以上に高めた上で、圧縮液化を行うものである。
【００５１】
気液分離槽Ｇで分離した液化炭酸は、導管１８を介してタンクＨに導入、回収する。タンクＨ中の液化炭酸はタンクＨから導管１９、開閉弁Ｖ２を介して導出、運搬し、地下、海洋、海底貯蔵、あるいは炭酸ナトリウム製造用原料、その他の用途に利用される。
【００５２】
二酸化炭素濃度富化装置Ｆにおいて、水分吸着塔Ｅを経たオフガスから二酸化炭素を分離した残りのオフガス（未燃オフガス）は、全量、水素分離型改質器の燃焼器の燃料として利用する。すなわち、水分吸着塔Ｅを経たオフガスのうち二酸化炭素濃度富化装置Ｆを透過しない成分つまり「二酸化炭素濃度富化装置からのオフガス」は、導管１６を介して気液分離槽Ｇからの分離済みオフガス導管１７からのオフガスに合流させ、水素分離型改質器に付設の燃焼器Ｂの燃料として再利用する。
【００５３】
すなわち、分離済みオフガス導管１７からのオフガスにも微量ではあるが一酸化炭素や水素などの可燃成分が含まれているので、「二酸化炭素濃度富化装置からのオフガス」中の可燃成分と合わせて燃焼器Ｂの燃料として再利用するものである。
【００５４】
水素分離型改質器Ａを用いた水素製造能力３００Ｎｍ3/ｈの水素ステーションを想定すると、水素分離型改質器Ａのオフガスから９０％の二酸化炭素を回収した場合、約７２Ｎｍ3/ｈ（１４１ｋｇ/ｈ）の二酸化炭素を低エネルギーで効率的に回収することができる。これは、水素製造時に発生する総二酸化炭素排出量の約半分に相当する。
【００５５】
二酸化炭素液化回収装置において、オフガスから分離した液化二酸化炭素の濃度は水素分離型改質器の出力が４０％と低い時（このときのオフガスの二酸化炭素濃度＝８８％）であっても分離後の二酸化炭素濃度は９９．２％であるので、ＪＩＳ規格Ｋ１１０６で規定する９９．５％の濃度以下であり、工業的に使用することができない。しかし、二酸化炭素濃度富化装置Ｆを用いてオフガス中の二酸化炭素濃度を９０％以上にすることで、圧縮液化による分離回収後の二酸化炭素の濃度を、ＪＩＳ規格１１０６で規定する品質を満たす濃度とし、工業的に利用可能なガスとすることができる。
【００５６】
〈燃焼器Ｂ、ボイラＣからの燃焼排ガスについて〉
燃焼器Ｂでの燃焼排ガスは、導出管１０により導出し、熱交換器Ｋ３により冷却される。熱交換器Ｋ３において回収した燃焼排ガスの熱は原料ガスやボイラ用燃料ガスや水・水蒸気の加熱などに使用される。ボイラＣからの燃焼排ガスは、導出管１１により導出し、熱交換器Ｋ４により冷却される。熱交換器Ｋ４において回収したボイラ燃焼排ガスの熱はボイラに投入する水の加熱などに使用される。なお、図１中それら燃焼排ガスの熱の回収のための熱交換器、配管の記載は省略している。
【００５７】
〈本発明（３）〜（４）の態様〉
図２は本発明（３）〜（４）を説明する図である。図２のとおり、本発明の水素分離型水素製造システムにおいては、炭化水素系燃料の水蒸気改質による水素分離型水蒸気改質器Ａと、炭化水素系燃料の水蒸気改質用加熱源である燃焼器Ｂと、炭化水素系燃料の改質用水蒸気発生用ボイラＣと、水分離器Ｄと、メタン分離装置Ｍを含む二酸化炭素液化回収装置：Ｚを備えることを前提、必須とするものである。
【００５８】
〈オフガス中のメタンについて〉
オフガス中の成分の比率は、水素分離型水蒸気改質器Ａの出力が低い時、例えば３０％出力では、ＣＯ2＝９０％（容量％、以下同じ）、ＣＯ＝１％、ＣＨ4＝３％、Ｈ2＝６％（ドライベース）程度であり、水素分離型水蒸気改質器Ａの出力が高い時、例えば１００％出力では、ＣＯ2＝６５％、ＣＯ＝２％、ＣＨ4＝１８％、Ｈ2＝１５％（ドライベース）程度となっている。
【００５９】
このように、オフガス中の成分は、二酸化炭素以外では、水素とメタンが大部分を占めるが、このうち水素よりもメタンの方が二酸化炭素の回収率を大幅に低下させることが実験によって明らかになっている。例えば、二酸化炭素に１０％、２０％のメタンが含まれている場合は、二酸化炭素気液分離槽の温度を０℃としたときにオフガスからの二酸化炭素回収率はそれぞれ、８２％、６０％と低かったが、二酸化炭素に１０％、２０％の水素が含まれている場合は、オフガスからの二酸化炭素回収率はそれぞれ、８９％、７４％であった。
【００６０】
１Ｎｍ3/ｈ級二酸化炭素分離回収装置で試験した場合、二酸化炭素に１０％の水素が含まれているガスから二酸化炭素を９０％以上回収しようとする場合は、二酸化炭素気液分離槽の温度は−５℃で十分であり、回収二酸化炭素１Ｎｍ3あたりの消費電力量は１．１４ｋＷｈであったが、二酸化炭素に１０％のメタンが含まれているガスから二酸化炭素を９０％以上回収しようとすると、二酸化炭素気液分離槽の温度を−１５℃まで低下させる必要があり、回収二酸化炭素１Ｎｍ3あたりの消費電力量は１．２６ｋＷｈとなり、０．１２ｋＷｈの電力量が余分に必要であり、必要な総電力量は１１％増加した。
【００６１】
ＣＨ4の分子径は、ＣＯ2、Ｈ2Ｏなどの分子径と比較して一番大きいので（ＣＯ2：０．３８ｎｍ、ＣＯ2：０．３３ｎｍ、Ｈ2Ｏ：０．３２ｎｍ）、特許文献１１に記載のようなゼオライト系の分離膜や特許文献１２に記載のような炭素系の分離膜によって選択的に分離することができる。オフガス中からメタンのみを分離した後に二酸化炭素を圧縮分離すれば、二酸化炭素回収率が向上し、二酸化炭素単位重量（もしくは単位体積）あたりの回収エネルギーのさらなる低減が可能である。
【００６２】
【特許文献１１】特開２００３−１５９５１８号公報
【特許文献１２】特開平１０−５２６２９号公報
【００６３】
本発明（３）〜（４）においては、水分吸着塔Ｅに続くメタン分離装置Ｍにおいてメタンを選択的に分離することでオフガス中の二酸化炭素を高濃度化する。そして、当該メタン分離装置Ｍに続く圧縮機Ｐ２、冷却熱交換器Ｋ５による圧縮液化のみを経て、気液分離槽Ｇにおいて容易且つ効率的に回収するものである。このように、メタン分離装置Ｍ、これに続く圧縮機Ｐ２、冷却熱交換器Ｋ５は、本発明（３）〜（４）において重要な役割を果たすものである。
【００６４】
ところで、本発明（１）〜（２）においては、上記と同様の二酸化炭素液化回収装置：Ｚにおいて、二酸化炭素濃度富化装置Ｆを配置することにより、水分吸着塔を経たガス中の二酸化炭素濃度を９０％以上に高めた後、順次、圧縮機、冷却熱交換器及び気液分離槽に導入して液化炭酸を回収するものである。二酸化炭素濃度富化装置Ｆは、二酸化炭素を選択的に透過する二酸化炭素分離膜を備え、水分吸着塔Ｅでの水分離後のオフガス中の二酸化炭素を選択的に透過し、７０〜９０％であった二酸化炭素の濃度を９０％以上に高める。
【００６５】
二酸化炭素濃度富化装置Ｆでの二酸化炭素分離膜としては、二酸化炭素をそのように高濃度化できる二酸化炭素分離膜であればいずれも使用できるが、その例としてはゼオライト系二酸化炭素分離膜、もしくは高分子膜などが用いられる。二酸化炭素濃度富化装置Ｆを透過しないガスは、導管を介して気液分離槽からの分離済みオフガスに合流させる。
【００６６】
そのように、本発明（１）〜（２）の二酸化炭素液化回収装置：Ｚにおいては二酸化炭素濃度富化装置Ｆを配置する。これに対して、本発明（３）〜（４）においては、二酸化炭素濃度富化装置Ｆに代えて、メタン分離装置Ｍを配置する。
【００６７】
ここで、前記特許文献８〜１０には、水素分離型改質器を用いて二酸化炭素を分離回収することが記載されている。しかし、それらの水素分離型改質器における膜分離改質工程で、改質器オフガスとして、例えば、水素２５〜６０％（モル％）、一酸化炭素３〜２０％、二酸化炭素２５〜６５％、メタン３〜２０％の混合ガスが得られるとされており、改質器としての水素製造効率は低い。
【００６８】
このため、水素を一段で十分に分離できないだけでなく、二酸化炭素濃度２５〜６５％のままでは、気液分離を用いた液化回収に投入できないため、膜分離改質器つまり水素分離型改質器に加えて、もう一つの水素分離膜と二酸化炭素分離膜を水素分離型改質器に組み合わせている。これに対して、本発明の水素分離型改質器は一段で十分であり、そのようなもう一つの水素分離膜は不要である。
【００６９】
本発明においては、水素分離型水蒸気改質器Ａからのオフガス中の水分の分離に水分離器Ｄ（例えばスチームトラップ等）を用いる。すなわち、そのように冷却した水素分離型水蒸気改質器Ａからのオフガスを導出管９を介して水分離器Ｄに供給する。
【００７０】
熱交換器Ｋ２により冷却されたオフガスは水分離器Ｄに送られる。オフガス中の水分は水分離器Ｄにおいて分離され、１０℃〜４０℃程度の水蒸気分圧（水蒸気＝１．２〜７．２％）になる。分離した水つまりドレイン（drain）は酸性であるので、そのドレインを再利用するために中和器Ｉへ供給する。中和器Ｉには炭酸カリウム系天然石などの中和剤を充填する。ドレインは、水分離器Ｄから、中和器Ｉ、ドレイン導管１４を経て水供給管４により供給されるボイラＣへの供給水に合流させ、ボイラＣでの水蒸気発生用の水として利用する。
【００７１】
一方、水分離器Ｄにおいて、水分を分離した後のガスは、二酸化炭素液化回収装置：Ｚに供給され、当該ガス中の二酸化炭素を液化炭酸として回収する。二酸化炭素液化回収装置：Ｚは、水分離器Ｄで水分を分離した後のガスの流れ方向でみて順次、水分吸着塔Ｅ、メタン分離装置Ｍ、圧縮機Ｐ２、冷却熱交換器Ｋ５、気液分離槽Ｇ、タンクＨを配置することにより構成される。
【００７２】
水分離器Ｄを経たオフガスは、導管１５を介して水分吸着塔Ｅに導入される。水分吸着塔Ｅには水分離器Ｄを経たガス中の水分を選択的に吸着する活性炭等の吸着剤を充填する。ガス中の水分の大部分は水分離器Ｄで分離されているが、水分吸着塔Ｅでは、水分離器Ｄで分離し得なかった１．２〜７．２％水蒸気に相当する水分をさらに吸着除去し、−２０℃（０．１％水蒸気）以下まで水蒸気分圧を低下させる。水分吸着塔Ｅを経たガスはメタン分離装置Ｍへ導入する。
【００７３】
メタン分離装置Ｍは、オフガス中のメタン以外の成分である二酸化炭素、水素を透過し、メタンを透過しない分離膜を備え、水分吸着塔Ｅでの水分離後のオフガス中のメタン以外のガスを選択的に透過し、７０〜９０％であった二酸化炭素の濃度を９０％以上に高める。メタン分離装置Ｍの分離膜を透過しないガスであるメタンは、導管１６を介して気液分離槽Ｇからの分離済みオフガス導管１７からのオフガスに合流させ、水素分離型改質器に付設の燃焼器Ｂの燃料として再利用する。
【００７４】
すなわち、気液分離槽Ｇにおいて二酸化炭素を回収した後の、二酸化炭素分離済みオフガス導管１７からのオフガスにも一酸化炭素や水素などの可燃成分が含まれているので、メタン分離装置Ｍからのオフガス中の可燃成分であるメタンと合わせて燃焼器Ｂの燃料として再利用するものである。
【００７５】
なお、上記メタン分離装置Ｍはメタンを透過しない分離膜を備えるので、導管１６を介して気液分離槽Ｇからの分離済みオフガスに合流させるガスはメタンリッチガスである。
【００７６】
オフガスから分離した液化二酸化炭素の濃度は、水素分離型改質器Ａの出力が４０％と低い時（オフガス中の二酸化炭素濃度８８％）であっても、分離後の二酸化炭素濃度は９９．２％であるので、ＪＩＳ規格Ｋ１１０６で規定する９９．５％の濃度以下であり、工業的に使用することができない。しかし、メタン分離装置Ｍを用いてオフガス中の二酸化炭素濃度を９０％以上にすることで、圧縮液化による分離回収後の二酸化炭素の濃度を、ＪＩＳ規格Ｋ１１０６で規定する品質を満たす濃度とし、工業的に利用可能なガスとすることができる。
【００７７】
オフガスは、まず、水分離器Ｄで１０℃〜４０℃程度の水蒸気分圧（水蒸気＝１．２〜７．２％）まで水を落とす。二酸化炭素液化回収装置：Ｚの水分吸着塔Ｅにおいて、−２０℃の露点（０．１％水蒸気）以下まで水蒸気分圧を低下させる。その後、メタン分離装置Ｍの分離膜においてメタンのみを選択的に分離し、残りのオフガスを圧縮機Ｐ２で圧縮し、冷却熱交換器Ｋ５で冷却して気液分離槽Ｇに導入することにより、残りオフガス中の高濃度二酸化炭素は気液分離される。
【００７８】
メタン分離装置Ｍに配置した分離膜で分離したメタンや気液分離槽Ｇでの二酸化炭素分離済みオフガス中の未燃ガスは、導管１７を介して水素分離型改質器に付設の燃焼器Ｂの燃料として再利用する。すなわち、メタン分離装置Ｍの分離膜で選択的に分離したメタンを、導管１６を介して、二酸化炭素分離済みオフガス導管１７からの二酸化炭素分離済みオフガスに合流させ、水素分離型改質器に付設の燃焼器Ｂの燃料として再利用する。
【符号の説明】
【００７９】
Ａ  水素分離型水蒸気改質器
Ｂ  炭化水素系燃料の水蒸気改質用加熱源である燃焼器
Ｃ  炭化水素系燃料の改質用水蒸気発生用ボイラ
Ｄ  水分離器
Ｅ  水分吸着塔
Ｆ  二酸化炭素濃度富化装置
Ｍ  メタン分離装置
Ｇ  気液分離槽
Ｈ  タンク
Ｉ  中和器
Ｚ  二酸化炭素液化回収装置
１〜１９  導管、分岐管
Ｋ１〜Ｋ４  熱交換器
Ｋ５  冷却熱交換器
Ｐ１〜Ｐ２  圧縮機
Ｖ１  減圧弁
Ｖ２  開閉弁
【図１】
2010254544.tif 000003
【図２】
2010254544.tif 000004